(57)【要約】【課題】ダンパ本体をオーバーストローク分だけ移動させることにより、閉じ位置における開閉部材との間の隙間をなくすことのできる緩衝装置を提供する。【解決手段】筒部１２をパネルＰへ取り付けるフランジ１３および弾性挟持片１４が設けられ、筒部１２の内側へ突出する弾性係止片１５Ａ，１５Ｂが設けられたグロメット１１と、筒部１２内へ挿入方向から挿入すると、弾性係止片１５Ａ，１５Ｂが係合して反挿入方向へ抜けるのを防止する係合段部２３が設けられた係止部材２１と、この係止部材２１内へ挿入方向から挿入すると、係止部材２１に当接する当接フランジ３４が長さ方向の途中に設けられ、係止部材２１内へ挿入されない円柱軸部分３３ｓに雄ねじ３５が設けられたダンパ本体３１と、雄ねじ３５に螺合する雌ねじ４２を有したカラー４１とからなり、このカラー４１をダンパ本体３１に対して回転させてグロメット１１へ当接させた後も回転させることにより、グロメット１１から突出するダンパ本体３１の突出長を調節して固定する。【選択図】    図１０
2004251421.tif 000002
【特許請求の範囲】
【請求項１】
筒部を被取付部材へ取り付ける取付部が設けられ、前記筒部の内側へ突出する弾性係止片が前記筒部に設けられたグロメットと、
前記筒部内へ挿入方向から挿入すると、前記弾性係止片が係合して反挿入方向へ抜けるのを防止する複数の係合段部が外面に設けられた係止部材と、
この係止部材内へ前記挿入方向から挿入すると、前記係止部材に当接する当接部が長さ方向の途中に設けられたダンパ本体とからなり、
前記係止部材に対して前記ダンパ本体を前記反挿入方向へ所定距離移動させ、前記グロメットから突出する前記ダンパ本体の突出長を固定する突出長調節固定手段を設けた、
ことを特徴とする緩衝装置。
【請求項２】
筒部を被取付部材へ取り付ける取付部が設けられ、前記筒部の内側へ突出する弾性係止片が前記筒部に設けられたグロメットと、
前記筒部内へ挿入方向から挿入すると、前記弾性係止片が係合して反挿入方向へ抜けるのを防止する複数の係合段部が外面に設けられた係止部材と、
この係止部材内へ前記挿入方向から挿入すると、前記係止部材に当接する当接部が長さ方向の途中に設けられ、前記係止部材内へ挿入されない部分にねじ部が設けられたダンパ本体と、
このダンパ本体のねじ部に螺合するねじ部を有したカラーとからなり、
このカラーを前記ダンパ本体に対して回転させて前記グロメットへ当接させた後も回転させることにより、前記グロメットから突出する前記ダンパ本体の突出長を調節して固定する、
ことを特徴とする緩衝装置。
【請求項３】
請求項１または請求項２に記載の緩衝装置において、
前記係止部材と前記ダンパ本体との一方に前記挿入方向に沿った長溝を設け、前記係止部材と前記ダンパ本体との他方に、前記長溝に係合する弾性係合爪を設けた、
ことを特徴とする緩衝装置。
【請求項４】
請求項１から請求項３のいずれか１項に記載の緩衝装置において、
前記ダンパ本体の前記反挿入方向への移動を規制するストッパを設けた、
ことを特徴とする緩衝装置。
【発明の詳細な説明】
【０００１】
【発明の属する技術分野】
この発明は、例えば、自動車のボンネット、トランクカバー、ドアなどの開閉部材の閉じ位置を調節するための衝合停止部材として使用される緩衝装置に関するものである。
【０００２】
【従来の技術】
上記した従来の緩衝装置として、ダンパ本体の係合段部をグロメットの弾性係止片に係合させてダンパ本体のグロメットからの突出長を保持する構成とし、ダンパ本体のグロメットからの突出長を略最大にした状態でダンパ本体の係合段部をグロメットの弾性係止片に係合させ、開いた状態の開閉部材を閉じる動作でダンパ本体をグロメット内へ押し込むことにより、ダンパ本体を回転させずにグロメットからの突出長を調節、設定できるものが提案されている。
この緩衝装置は、カラーを回転させてダンパ本体の突出長を固定する際、ダンパ本体の上昇を、ダンパ本体の係合段部（係合突部）とグロメットの弾性係止片との係合で行っている。
なお、グロメットからのダンパ本体の突出長は、長くする方向へ調整することが一切できない（例えば、特許文献１参照。）。
【０００３】
【特許文献１】
特開２００２−２１９００号公報（段落〔００１５〕〜段落〔００１８〕、図５〜図７）
【０００４】
【発明が解決しようとする課題】
従来の緩衝装置は、閉じる開閉部材でダンパ本体をグロメット内へ押し込むことにより、ダンパ本体を回転させずにグロメットからの突出長を調節、設定することができる。
しかしながら、開閉部材を閉じ位置にロックするロック機構には多少のオーバーストロークが設定されるため、開閉部材を閉じる動作のみでグロメットに対するダンパ本体の突出長を調節、設定すると、ダンパ本体と開閉部材との間にオーバーストローク分だけ隙間が空き、閉じ位置の開閉部材にダンパ本体が当接しなくなる。
【０００５】
また、カラーを回転させてダンパ本体の突出長を固定する際、ダンパ本体の上昇を、ダンパ本体の係合段部とグロメットの弾性係止片との係合で行っているため、ダンパ本体を軟質樹脂で構成した場合、両者の係合が解けてダンパ本体が所定位置よりも上昇することにより、適切な位置でダンパ本体を停止、位置決めして突出長を適正に固定することができない恐れもあった。
【０００６】
この発明は、上記したような不都合を解消するためになされたもので、ダンパ本体をオーバーストローク分だけ移動させることにより、閉じ位置における開閉部材との間の隙間をなくすことのできる緩衝装置を提供するものである。
【０００７】
【課題を解決するための手段】
この発明の緩衝装置は、筒部を被取付部材へ取り付ける取付部が設けられ、筒部の内側へ突出する弾性係止片が筒部に設けられたグロメットと、筒部内へ挿入方向から挿入すると、弾性係止片が係合して反挿入方向へ抜けるのを防止する複数の係合段部が外面に設けられた係止部材と、この係止部材内へ挿入方向から挿入すると、係止部材に当接する当接部が長さ方向の途中に設けられたダンパ本体とからなり、係止部材に対してダンパ本体を反挿入方向へ所定距離移動させ、グロメットから突出するダンパ本体の突出長を固定する突出長調節固定手段を設けたものである。
また、この発明の緩衝装置は、筒部を被取付部材へ取り付ける取付部が設けられ、筒部の内側へ突出する弾性係止片が筒部に設けられたグロメットと、筒部内へ挿入方向から挿入すると、弾性係止片が係合して反挿入方向へ抜けるのを防止する複数の係合段部が外面に設けられた係止部材と、この係止部材内へ挿入方向から挿入すると、係止部材に当接する当接部が長さ方向の途中に設けられ、係止部材内へ挿入されない部分にねじ部が設けられたダンパ本体と、このダンパ本体のねじ部に螺合するねじ部を有したカラーとからなり、このカラーをダンパ本体に対して回転させてグロメットへ当接させた後も回転させることにより、グロメットから突出するダンパ本体の突出長を調節して固定するものである。
そして、係止部材とダンパ本体との一方に挿入方向に沿った長溝を設け、係止部材とダンパ本体との他方に、長溝に係合する弾性係合爪を設けたり、さらに、ダンパ本体の反挿入方向への移動を規制するストッパを設けるのが望ましい。
【０００８】
【発明の実施の形態】
以下、この発明の実施形態を図に基づいて説明する。
図１はこの発明の一実施形態である緩衝装置の一部を断面にした分解正面図、図２は図１に示した各部品の斜視図、図３は図１に示したグロメットの平面図、図４は図１に示した係止部材の平面図、図５は図１に示したダンパ本体の底面図、図６は図１に示したカラーの平面図、図７〜図１０はこの発明の一実施形態である緩衝装置のパネルへの取付方、ダンパ本体の突出長の調節、固定の仕方を示す説明図である。
【０００９】
なお、図１、図７および図１０におけるグロメットの断面は図３のＡ−Ａ線断面に相当し、また、図８、図９におけるグロメットの断面は、図３のＢ−Ｂ線断面に相当する。
そして、図１、図７および図１０における係止部材の断面は図４のＣ−Ｃ線断面に相当し、また、図８、図９における係止部材の断面は、図４のＤ−Ｄ線断面に相当する。
また、図１におけるカラーの断面は、図６のＥ−Ｅ線断面に相当する。
【００１０】
これらの図において、１１は合成樹脂製のグロメットを示し、外形が平面視四角形の筒部１２と、この筒部１２の上端（一端）に外側へ延びて周回するように連設されたフランジ１３と、このフランジ１３とでパネル（被取付部材）Ｐを挟持するように筒部１２の対向位置にそれぞれ連設された弾性挟持片１４と、フランジ１３側から下端（他端）側へ縮閉するように筒部１２の対向位置にそれぞれ連設された弾性係止片１５Ａ，１５Ｂとで構成されている。
そして、筒部１２には、後述する係止部材２１を、挿入方向を間違えないで挿入できように、平面視長方形とされた開口が設けられるとともに、各弾性挟持片１４が設けられた内面の両端に、軸方向へガイド溝１２ｄが設けられている。
また、弾性係止片１５Ａの下端内側に設けられた係止部分と、弾性係止片１５Ｂの下端内側に設けられた係止部分との上下方向の位置は、係止部材２１に設けられた係合段部２３の半ピッチ分だけずらせてある。
なお、フランジ１３と弾性挟持片１４とで、筒部１２を取り付ける取付部を構成している。
そして、弾性係止片１５Ａ，１５Ｂの先端（下端）の間隔は、係止部材２１の係合段部２３の幅よりも狭く設定されている。
また、弾性係止片１５Ａ（弾性係止片１５Ｂ）は、係止部材２１の係合段部２３と水平に係合するように、筒部１２の軸に対して対称位置に設けられている。
【００１１】
２１は合成樹脂製の係止部材を示し、グロメット１１の筒部１２内へ挿入方向を間違えないように、外形が平面視長方形の筒部２２で構成されている。
そして、筒部２２には、後述するダンパ本体３１を、挿入方向を間違えないで挿入できるようにするとともに、ダンパ本体３１が筒部２２内で回転しないように、平面視略長方形の開口が設けられるとともに、グロメット１１の弾性係止片１５Ａ，１５Ｂに対応する外面（外側）に、例えば、１ｍｍのピッチで水平方向へ複数の係合段部２３が水平方向へ設けられ、グロメット１１の両弾性挟持片１４に対応する対向位置に、先端（下端）側へ縮閉し、ストッパ（ストッパ機構）として機能する弾性係合爪２４が設けられるとともに、グロメット１１のいずれかの弾性挟持片１４に対応する対向位置に、グロメット１１の各ガイド溝１２ｄに係合して案内される係合突条２５が設けられている。
さらに、筒部２２には、両弾性係合爪２４が設けられている上端内側に、ダンパ本体３１の係合突起３７を案内する下端側へ縮閉する傾斜面を有したガイド溝２６がそれぞれ設けられ、この各ガイド溝２６の下側に、ダンパ本体３１の係合突起３７が係合する係止部としての係止孔２７がそれぞれ設けられている。
なお、係合段部２３は、上面が平面とされ、側面が上面の外側から筒部２２の下端側へ傾斜する傾斜面とされている。
また、弾性係合爪２４は、筒部２２内面側の側面が筒部２２の下端側へ傾斜する傾斜面とされ、下面が平面とされている。
【００１２】
３１はゴム製のダンパ本体を示し、円板状の頭部３２と、この頭部３２に一体成形され、頭部３２の下面の中心から垂下する軸部３３とで構成されている。
そして、軸部３３は、係止部材２１内へ挿入されない部分となる、円柱軸部分３３ｓと同一外径で上側に位置する円柱軸部分３３ｓと、係止部材２１内へ挿入される部分となる、対向する部分が軸方向へ平行に切除され、円柱軸部分３３ｓの下側に同一軸状に連なるＩカット軸部分３３ｉとで構成されている。
上記した円柱軸部分３３ｓには、下端部分に、Ｉカット軸部分３３ｉを係止部材２１内へ挿入した場合、係止部材２１に当接する、当接部としての周回した当接フランジ３４が設けられ、この当接フランジ３４よりも上側に、雄ねじ３５が設けられている。
また、Ｉカット軸部分３３ｉには、係止部材２１の各弾性係合爪２４に対応する円弧状の周面に、弾性係合爪２４が係合する軸方向へ沿った長溝３６が設けられ、この各長溝３６の上側に、略半球状の係合突起３７が設けられている。
なお、当接フランジ３４は、後述するカラー４１内へ円柱軸部分３３ｓを挿入できるように、一部が軸方向へ切り欠かれている。
また、各長溝３６を形成する下端の段部３６ｄは、係止部材２１の弾性係合爪２４の下端に衝合し、ダンパ本体３１が上側へ移動するのを規制するストッパ（ストッパ機構）として機能する。
【００１３】
４１は合成樹脂製のストッパを示し、円板状に成形され、雄ねじ３５に螺合する雌ねじ４２が内側に設けられている。
なお、雌ねじ４２は、当接フランジ３４が通過できるように、一部が軸方向へ切り欠かれている。
Ｐは被取付部材としてのパネルを示し、グロメット１１の筒部１２を嵌合させることのできる四角形の取付孔ｈが設けられている。
なお、挿入方向とは、図１において、上端（上側）から下端（下側）へ向かう方向であり、また、反挿入方向とは、図１において、下端（下側）から上端（上側）へ向かう方向である。
【００１４】
次に、緩衝装置の組立の一例について説明する。
まず、図１および図２に示すように、ダンパ本体３１のＩカット軸部分３３ｉの下端を、カラー４１の雌ねじ４２が形成する開口に対応させ、Ｉカット軸部分３３ｉを雌ねじ４２内へ挿入する。
そして、当接フランジ３４が雌ねじ４２に当接したならば、カラー４１に対してダンパ本体３１を傾斜させて当接フランジ３４の切欠部分の一端を、雌ねじ４２の切欠部分へ挿入し、カラー４１に対してダンパ本体３１を回転させると、当接フランジ３４が雌ねじ４２に螺合して雌ねじ４２部分を通過するので、カラー４１を円柱軸部分３３ｓの外側に位置させることができる。
次に、雄ねじ３５を雌ねじ４２に螺合させ、カラー４１を頭部３２に当接させるまで上昇させると、図７および図８に示すように、ダンパ本体３１に対してカラー４１を取り付けることができる。
【００１５】
このようにしてカラー４１を取り付けたダンパ本体３１のＩカット軸部分３３ｉの下端を、筒部２２（係止部材２１）の開口に対応させ、Ｉカット軸部分３３ｉを筒部２２内へ上端側から挿入すると、Ｉカット軸部分３３ｉの下端が弾性係合爪２４を拡開させるので、Ｉカット軸部分３３ｉを筒部２２内へさらに挿入することができる。
そして、Ｉカット軸部分３３ｉの下端部分が弾性係合爪２４を乗り越え、弾性係合爪２４の下端が長溝３６と対向すると、弾性係合爪２４は、自身の弾性で元の状態に復帰し、図７に示すように、長溝３６内へ突入する。
したがって、弾性係合爪２４が長溝３６でガイドされて上下動するので、係止部材２１に対してダンパ本体３１を上下動させることができる。
【００１６】
上記のように弾性係合爪２４を長溝３６に係合させた状態で、Ｉカット軸部分３３ｉを筒部２２内へさらに挿入すると、係合突起３７がガイド溝２６でガイドされて係合突起３７部分が内側へ撓むので、Ｉカット軸部分３３ｉを筒部２２内へさらに挿入することができる。
そして、当接フランジ３４が筒部２２の上端に当接すると、係合突起３７が係止孔２７と対向するので、係合突起３７は、係合突起３７部分が弾性で元の状態に復帰し、図７に示すように、係止孔２７内へ突入する。
したがって、ダンパ本体３１に対して係止部材２１を、移動しないように固定することができる。
【００１７】
さらに、図１および図２に示すように、係止部材２１の下端を筒部１２（グロメット１１）の開口に対応させるとともに、係合突条２５をガイド溝１２ｄに対応させ、係止部材２１を筒部１２内へ挿入すると、係止部材２１の下端が弾性係止爪１５Ａ，１５Ｂを拡開させるので、係止部材２１を筒部１２内へさらに挿入することができる。
しかし、係止部材２１を筒部１２内へあまり挿入せず、例えば、図８に示すように、弾性係止爪１５Ａの係止部分が最下段の係合段部２３を乗り越えて係合する状態に係止部材２１を筒部１２内へ挿入することにより、組立が完了する。
なお、この組立状態においては、弾性係止爪１５Ｂの係止部分が下から２段目の係合段部２３に乗り上げた状態となっている。
【００１８】
次に、緩衝装置の取付の一例について説明する。
まず、図２に示すように、筒部１２の下側をパネルＰの取付孔ｈに対応させ、グロメット１１をパネルＰ側へ押圧すると、筒部１２の外周から一部が突出している弾性挟持片１４はパネルＰの縁に押されて内側へ撓むので、筒部１２を取付孔ｈ内へ挿入することができる。
そして、弾性挟持片１４がパネルＰを通過し、フランジ１３がパネルＰの上側に当接すると、弾性挟持片１４が自身の弾性で元の状態へ復帰してパネルＰの下側に当接し、図７に示すように、フランジ１３と弾性挟持片１４とでパネルＰを挟持するので、筒部１２、すなわち、緩衝装置をパネルＰに取り付けることができる。
なお、グロメット１１をパネルＰに取り付けた後、このグロメット１１に対して、ダンパ本体３１およびカラー４１を取り付けた係止部材２１を取り付けても、同様に取り付けることができる。
【００１９】
次に、ダンパ本体の突出長の調節、固定について説明する。
まず、図７および図８に示す状態のダンパ本体３１の上へ、例えば、図示を省略したボンネット（開閉部材）を閉じることによって下降させ、衝合させると、ボンネットは、閉じ位置にオーバーストロークを加えた位置まで下降した後、閉じ位置まで上昇するので、ダンパ本体３１、および、上端を当接フランジ３４で押圧される係止部材２１も、ボンネットの閉じ位置にオーバーストロークを加えた位置、例えば、図９に示す位置まで下降する。
このように係止部材２１が下降すると、所定数の係合段部２３が弾性係止片１５Ａ，１５Ｂを拡開させながら乗り越え、所定の係合段部２３に弾性係止片１５Ａまたは弾性係止片１５Ｂが係合し、係止部材２１が上側（反挿入方向）へ抜けるのを防止する。
【００２０】
そして、ボンネットを開け、カラー４１をダンパ本体３１に対して回転させ、図１０に示すように、カラー４１をフランジ１３（グロメット１１）に当接させた後、さらに回転させると、係合段部２３に係合する弾性係止片１５Ａまたは弾性係止片１５Ｂによって係止部材２１が上側へ移動するのを阻止されているので、ダンパ本体３１を所定長、例えば、設定されている移動長、すなわち、図１０に示すように、弾性係合爪２４が長溝３６を形成する下側の段部（ストッパ）３６ｄに衝合するまでダンパ本体３１を突出（移動）させ、ダンパ本体３１の突出長を調節、固定することができる。
このようしてダンパ本体３１の突出長を調節、固定すると、ダンパ本体３１は下降も上昇もしなくなるので、ダンパ本体１１は閉じ位置のボンネットとの間に間隙を空けることなく、閉じ位置のボンネットに当接する。
【００２１】
なお、ダンパ本体３１の突出長を調節すると、係合突起３７は係止孔２７から抜け出て、図１０に示すように、フランジ１３の上側へ移動する。
また、ダンパ本体３１の突出長を図１０に示す突出長よりも長くすることはできないが、ダンパ本体３１の突出長を図１０に示す突出長よりも短く調節することはできる。
【００２２】
上述したように、この発明の一実施形態によれば、グロメット１１内へ係止部材２１を介して押し込んだダンパ本体３１のグロメット１１に対する突出長を、ダンパ本体３１に雄ねじ３５を設け、この雄ねじ３５に螺合する雌ねじ４２を有したカラー４１を回転させることによって調節できるようにしたので、開閉部材のオーバーストローク分だけダンパ本体３１のグロメット１１に対する突出長を調節することにより、閉じ位置の開閉部材にダンパ本体３１を当接させることができる。
そして、係止部材２１に弾性係合爪２４を設け、ダンパ本体３１に弾性係合爪２４が係合する長溝３６を設けたので、ダンパ本体３１への係止部材２１の取付を容易に行うことができる。
さらに、ダンパ本体３１の反挿入方向への移動を規制する弾性係合爪２４および段部３６ｄを設けたので、ダンパ本体３１の突出長（移動量）を規制することができ、ダンパ本体３１を移動させる突出長をオーバーストロークに設定すると、オーバーストローク分だけの突出長の調節が簡単、かつ、正確にできる。
このようにダンパ本体３１の突出長を調節する場合、長溝３６の段部３６ｄと、この段部３６ｄに当接、係合する弾性係止爪２４の当接面とは、ダンパ本体３１の反挿入方向に対して直交しているため、ダンパ本体３１を確実に所定位置に停止させ、ダンパ本体３１の突出長を適正に固定することができる。
また、係止部材２１に係止孔２７を設け、ダンパ本体３１に係合突起３７を設けたので、係止孔２７に係合突起３７を係合させることにより、がたつかないように係止部材２１とダンパ本体３１とを組み付けることができる。
さらに、弾性係止片１５Ａと弾性係止片１５Ｂとのピッチを、係合段部２３のピッチの半分にしたので、弾性係合爪２４が段部３６ｄへ衝合するまでダンパ本体３１を移動させて突出長を調整した場合、突出長の誤差を係合段部２３の半ピッチ分、例えば、（０±０．２５）ｍｍの範囲にすることができる。
【００２３】
上記した実施形態では、頭部３２を有するダンパ本体３１の例を示したが、頭部３２が設けられていなくも、同様に機能する。
また、係止部材２１に当接するダンパ本体３１の当接部を当接フランジ３４とした例を示したが、円柱軸部分３２ｓとＩカット軸部分３２ｉとの境目部分に形成される段部を当接部としてもよいことは言うまでもない。
さらに、係止部材２１に弾性係合爪２４を設け、ダンパ本体３１に長溝３６を設けた例を示したが、係止部材に長溝を設け、ダンパ本体に下端側から上端側へ拡開する弾性係合爪を設けて同様に機能させるとともに、長溝の段部（上側の段部）をストッパとして機能させてもよい。
また、係止部材２１に係止孔２７を設け、ダンパ本体３１に係合突起３７を設けた例を示したが、係止部材に係合突起（係合部）を設け、ダンパ本体に係止孔（係止部）を設けても、同様に機能させることができる。
さらに、突出長調節固定手段をダンパ本体３１の雄ねじ３５とカラー４１とで構成した例を示したが、同様に機能する、すなわち、ダンパ本体３１の突出長を連続的に変化させることのできる他の構成であってもよい。
【００２４】
【発明の効果】
以上説明したように、この発明によれば、グロメット内へ係止部材を介して押し込んだダンパ本体のグロメットに対する突出長を、突出長調節固定手段で調節できるようにしたので、または、ダンパ本体にねじ部を設け、このねじ部に螺合するねじ部を有したカラーを回転させることによって調節できるようにしたので、開閉部材のオーバーストローク分だけダンパ本体のグロメットに対する突出長を調節することにより、閉じ位置の開閉部材にダンパ本体を当接させることができる。
そして、係止部材とダンパ本体との一方に挿入方向に沿った長溝を設け、係止部材とダンパ本体との他方に、長溝に係合する弾性係合爪を設けたので、ダンパ本体への係止部材の取付を容易に行うことができる。
さらに、ダンパ本体の反挿入方向への移動を規制するストッパを設けたので、ダンパ本体の移動量を規制することができ、ダンパ本体を移動させる突出長をオーバーストロークに設定すると、オーバーストローク分だけの突出長の調節が簡単、かつ、正確にできる。
【図面の簡単な説明】
【図１】この発明の一実施形態である緩衝装置の一部を断面にした分解正面図である。
【図２】図１に示した各部品の斜視図である。
【図３】図１に示したグロメットの平面図である。
【図４】図１に示した係止部材の平面図である。
【図５】図１に示したダンパ本体の底面図である。
【図６】図１に示したカラーの平面図である。
【図７】この発明の一実施形態である緩衝装置をパネルへ取り付けた状態を示す説明図である。
【図８】この発明の一実施形態である緩衝装置をパネルへ取り付けた状態を示す説明図である。
【図９】この発明の一実施形態である緩衝装置におけるダンパ本体の突出長の調節、固定の仕方を示す説明図である。
【図１０】この発明の一実施形態である緩衝装置におけるダンパ本体の突出長の調節、固定の仕方を示す説明図である。
【符号の説明】
１１    グロメット
１２    筒部
１２ｄ  ガイド溝
１３    フランジ（取付部）
１４    弾性挟持片（取付部）
１５Ａ  弾性係止片
１５Ｂ  弾性係止片
２１    係止部材
２２    筒部
２３    係合段部
２４    弾性係合爪（ストッパ）
２５    係合突条
２６    ガイド溝
２７    係止孔（係止部）
３１    ダンパ本体
３２    頭部
３３    軸部
３３ｓ  円柱軸部分
３３ｉ  Ｉカット軸部分
３４    当接フランジ（当接部）
３５    雄ねじ
３６    長溝
３６ｄ  段部（ストッパ）
３７    係合突起
４１    カラー
４２    雌ねじ
Ｐ      パネル（被取付部材）
ｈ      取付孔
【図１】
2004251421.tif 000003
【図２】
2004251421.tif 000004
【図３】
2004251421.tif 000005
【図４】
2004251421.tif 000006
【図５】
2004251421.tif 000007
【図６】
2004251421.tif 000008
【図７】
2004251421.tif 000009
【図８】
2004251421.tif 000010
【図９】
2004251421.tif 000011
【図１０】
2004251421.tif 000012